(57)【特許請求の範囲】
【請求項１】
梁に固定される躯体側プレートと当該躯体側プレートから外向きに張り出す取付側プレートとからなり、上記取付側プレートの下部側には左右両側に突起部が設けられる一方、上記突起部よりも上側で締結部材が装着される腰壁パネルフレーム固定部材と、
取付面部の下部側には上記突起部が係合される下向きに開口する切欠きが形成される一方、上記切欠きよりも上側で上記締結部材が装着される腰壁接合部材と、
下部側には上記突起部が係合される下向きに開口する切欠きが形成される一方、上記切欠きよりも上側で上記締結部材が装着される腰壁パネルフレームと、を備え、
上記梁が交差して外壁の入隅をなす箇所に上記腰壁接合部材が位置しており、上記腰壁接合部材には２つの上記取付面部が交差配置されており、
上記躯体側プレートには、上記梁に固定されるための装着部が形成されており、当該装着部は上記取付側プレートを境に上記取付面部から遠い側の片側に位置していることを特徴とする腰壁パネルフレーム固定構造。
【請求項２】
請求項１に記載の腰壁パネルフレーム固定構造において、上記躯体側プレートは上記梁の外側で上フランジと下フランジの両方に接合された梁取合い部材によって上記梁に固定されることを特徴とする腰壁パネルフレーム固定構造。
【請求項３】
請求項１または請求項２に記載の腰壁パネルフレーム固定構造において、上記腰壁接合部材には、少なくとも上記締結部材の装着箇所を補強する補強板が設けられていることを特徴とする腰壁パネルフレーム固定構造。
【請求項４】
請求項１または請求項２に記載の腰壁パネルフレーム固定構造において、上記腰壁接合部材は、凸角部をなす曲げ板部材と凹角部をなす曲げ板部材とが、天板および補強板によって溶接固定されてなることを特徴とする腰壁パネルフレーム固定構造。
【請求項５】
請求項１〜請求項４のいずれか１項に記載の腰壁パネルフレーム固定構造において、上記取付側プレートの上方であって上記腰壁パネルフレームと上記腰壁接合部材と間に、スペーサーが設けられていることを特徴とする腰壁パネルフレーム固定構造。
【発明の詳細な説明】
【技術分野】
【０００１】
この発明は、腰壁パネルのフレームを躯体に固定する腰壁パネルフレーム固定構造に関する。
【背景技術】
【０００２】
特許文献１には、壁面を形成する壁パネルと壁パネルがコーナーパネルを介して接続されるバルコニーのコーナーパネル接続構造であって、コーナーパネルと当接する壁パネルの端部には、断面略Ｕ字形状になされた受け具が取り付けられ、前記コーナーパネルは型材で成形され、型材の断面形状は両端部が略直交するようになされ、端部には壁パネルとそれぞれ当接する壁パネル当接面が形成され、前記コーナーパネルが前記壁パネル当接面で前記受け具を介して壁パネルに接続されている構造が開示されている。
【先行技術文献】
【特許文献】
【０００３】
【特許文献１】特開２００１−１３２０９０号公報
【発明の概要】
【発明が解決しようとする課題】
【０００４】
しかしながら、上記特許文献１に開示の技術は、バルコニーの梁に腰壁パネルフレームを取り付ける際の作業性を向上できるものではなかった。
【０００５】
この発明は、上記の事情に鑑み、梁に腰壁パネルフレームを取り付ける際の作業性を向上できる腰壁パネルフレーム固定構造を提供することを課題とする。
【課題を解決するための手段】
【０００６】
この発明の腰壁パネルフレーム固定構造は、上記の課題を解決するために、梁に固定される躯体側プレートと当該躯体側プレートから外向きに張り出す取付側プレートとからなり、上記取付側プレートの下部側には左右両側に突起部が設けられる一方、上記突起部よりも上側で締結部材が装着される腰壁パネルフレーム固定部材と、取付面部の下部側には上記突起部が係合される下向きに開口する切欠きが形成される一方、上記切欠きよりも上側で上記締結部材が装着される腰壁接合部材と、下部側には上記突起部が係合される下向きに開口する切欠きが形成される一方、上記切欠きよりも上側で上記締結部材が装着される腰壁パネルフレームと、を備えたことを特徴とする。
【０００７】
上記の構成であれば、上記梁に取り付けられた上記腰壁パネルフレーム固定部材を介して上記腰壁接合部材と上記腰壁パネルフレームとが、その下側では上記切欠きに上記突起部を係合させ、この突起部の上側では上記締結部材で固定されるので、上記梁に上記腰壁パネルフレームを取り付ける際の作業性が向上する。また、上記腰壁パネルフレームおよび上記腰壁接合部材に形成された切欠きに、上記取付側プレートの左右両側に設けられた上記突起部が係合するので、上記腰壁パネルフレームの重量を上記腰壁パネルフレーム固定部材で受け止めることができる。また、上記腰壁パネルフレームに加わる水平力（風圧力）を、上記切欠きと突起部を介して上記腰壁パネルフレーム固定部材が受け止めることができる。
【０００８】
上記躯体側プレートは上記梁の外側で上フランジと下フランジの両方に接合された梁取合い部材によって上記梁に固定されていてもよい。これによれば、上記梁取合い部材を介して上記腰壁パネルフレーム固定部材が梁に固定されるので、上記腰壁パネルフレームの取り付けの剛性が向上する。
【０００９】
柱の隣り合う２面の各々に上記梁が固定されており、上記柱の対角線上に上記腰壁接合部材が位置しており、上記腰壁接合部材には２つの上記取付面部が交差配置されていてもよい。これによれば、腰壁のコーナー箇所において上記腰壁パネルフレームの取り付けの作業性が向上する。
【００１０】
上記躯体側プレートには、上記梁に固定されるための装着部が形成されており、当該装着部は上記取付側プレートを境に上記取付面部から遠い側の片側に位置していてもよい。これによれば、上記腰壁パネルフレーム固定部材の上記梁への装着が容易になる。
【００１１】
上記腰壁接合部材には、少なくとも上記締結部材の装着箇所を補強する補強板が設けられていてもよい。これによれば、上記締結部材による締め込みで上記腰壁接合部材が変形するといった事態を防止することができる。特に、上記のように、上記腰壁パネルフレーム固定部材において上記装着部が片側に位置するために上記変形を生じさせる力が上記装着箇所に加わり易くなる場合でも、上記補強板によって上記腰壁接合部材の変形が防止される。
【００１２】
上記取付側プレートの上方であって上記腰壁パネルフレームと上記腰壁接合部材と間に、スペーサーが設けられていてもよい。これによれば、上記取付側プレートの厚みによる上記腰壁パネルフレームと上記腰壁接合部材の取付面部との間隔を、上記取付側プレートの上方の位置でも確保することができる。
【発明の効果】
【００１３】
本発明であれば、梁に腰壁パネルフレームを取り付ける際の作業性を向上できる等の諸効果を奏する。
【図面の簡単な説明】
【００１４】
【図１】本発明の実施形態にかかる腰壁パネルフレーム固定構造を示した説明図である。
【図２】図１の腰壁パネルフレーム固定構造のａ−ａ矢視の概略断面図（ハッチングを省略している）である。
【図３】図１の腰壁パネルフレーム固定構造のｂ−ｂ矢視の概略断面図（ハッチングを省略している）である。
【図４】同図（Ａ）は図１の腰壁パネルフレーム固定構造の腰壁接合部材の平面図であり、同図（Ｂ）は同腰壁接合部材の正面図である。
【図５】同図（Ａ）は図１の腰壁パネルフレーム固定構造の腰壁パネルフレーム固定部材の正面図であり、同図（Ｂ）は同腰壁接合部材の側面図であり、同図（Ｃ）は同腰壁接合部材の平面図である。
【図６】図１の腰壁パネルフレーム固定構造の取付側プレートの下部側に設けられた突起部を示した説明図である。
【図７】図１の腰壁パネルフレーム固定構造の一部を拡大して示した説明図である。
【図８】本発明の腰壁パネルフレーム固定構造の変形例を示した説明図である。
【発明を実施するための形態】
【００１５】
以下、この発明の実施の形態を添付図面に基づいて説明する。
この実施形態の腰壁パネルフレーム固定構造は、例えば、バルコニー腰壁のコーナー部となる入隅部において構築されている。
【００１６】
図１、図２および図３に示すように、上記腰壁パネルフレーム固定構造は、腰壁パネル１と、例えばＨ型鋼からなる梁３に固定される躯体側プレート２１とこの躯体側プレート２１に直交して外向きに張り出すように接合された取付側プレート２２とからなる腰壁パネルフレーム固定部材２と、角筒状の形状を有し、２つの取付面部５１が交差配置されている腰壁接合部材５と、を備える。
【００１７】
上記梁３は、柱６の外側の隣り合う２面の各々に固定されている。そして、上記柱６の対角線上の外側の位置に上記腰壁接合部材５が位置している。
【００１８】
上記腰壁接合部材５は、図３に示しているように、上記柱６の上記対角線上において当該柱６の角に対向する凸角部を有する一方、上記取付面部５１が交差する側の箇所（上記凸角部の対角線位置）に凹角部を有している。この凹角部には止水部材９１が設けられている。そして、２枚の上記腰壁パネル１が、それらの端部を上記止水部材９１に接するとともに各取付面部５１に対向させて交差状に設けられる。なお、上記止水部材９１の外側となる上記２枚の腰壁パネル１の端部間にも止水部材が設けられている。
【００１９】
また、上記腰壁接合部材５は、例えば、図４にも示すように、上記凸角部をなす曲げ板部材５Ａと上記凹角部をなす曲げ板部材５Ｂとが、２枚の補強板５Ｃおよび天板５Ｄによって溶接固定される。また、上記腰壁接合部材５の各取付面部５１の上部側には、締結部材であるボルト８２を装着するための孔５１ａが形成されており、この孔５１ａの形成箇所の裏面にナット５１ｃが溶接等によって固定されている。また、上記腰壁接合部材５の各取付面部５１の下部側には、下向きに開口する切欠き５１ｂが形成されている。上記２枚の補強板５Ｃのうち上側に位置する補強板５Ｃは、上記ボルト８２の装着箇所となる上記ナット５１ｃの近くに設けられており、当該装着箇所を補強する。上記２枚の補強板５Ｃのうち下側に位置する補強板５Ｃは、上記切欠き５１ｂの近くに設けられている。
【００２０】
上記腰壁パネル１は、図３等に示されているように、そのフレーム１１の表側に外壁面材１２がビス１３等によって固定された構造を有する。また、上記ボルト８２が設けられる上記フレーム１１の縦フレームの箇所と、上記切欠き１１ａが形成される上記縦フレームの箇所には、外側に凸となって上記取付側プレート２２に接する突出面部が形成されている。上記突出面部は例えばプレス加工によって形成することができる。
【００２１】
上記腰壁パネルフレーム固定部材２は、梁取合い部材４に固定されている。この梁取合い部材４は、上記梁３の外側の上フランジ３１と下フランジ３２の両方に例えば溶接等によって接合されている。また、上記梁取合い部材４には例えば１列で２個のボルト挿通孔が形成されている。
【００２２】
そして、上記腰壁パネルフレーム固定部材２の上記躯体側プレート２１にも例えば１列で２個のボルト挿通孔２１ａが形成されている（図５参照）。そして、上記取付側プレート２２は上記躯体側プレート２１の左右方向中央位置よりも上記腰壁接合部材５に近い位置に接合されており、上記ボルト挿通孔２１ａは上記躯体側プレート２１の左右方向中央位置よりも上記腰壁接合部材５から遠い片側位置だけに形成されている。上記ボルト挿通孔２１ａに通されたボルト８１を上記梁取合い部材４の裏面側のナットに螺合させることで、上記腰壁パネルフレーム固定部材２が上記梁３に固定される。
【００２３】
なお、上記梁３の外側縁から上記腰壁パネル１までの間隔は、例えば１０ｍｍとなっており、この隙間に配置される上記躯体側プレート２１の厚みが例えば６ｍｍに設定されていることから、上記ボルト８１は皿頭ボルトとされ、頭部が躯体側プレート２１の面から出ないようにしている。また、例えば、上記腰壁パネルフレーム固定部材２における上記取付側プレート２２の厚みは、例えば９ｍｍとされている。また、上記取付側プレート２２は、上記梁取合い部材４の高さよりも高くされている。
【００２４】
図５（Ａ）、図５（Ｂ）および図５（Ｃ）に示すように、上記取付側プレート２２の上部側には、挿通孔２２ａが形成されている。この挿通孔２２ａには上記ボルト８２が挿通される。また、上記取付側プレート２２の下部側には左右両側に突起部２２ｂが形成されている。なお、図５では図３における上記腰壁接合部材５の左側に配置される取付側プレート２２を示しているが、上記腰壁接合部材５の右側に配置される取付側プレート２２については、図５の構造に対して左右反転した構造を有することになる。
【００２５】
図６に示しているように、上記取付側プレート２２の下部側には螺子孔２２ｃが形成されており、この螺子孔２２ｃに頭無しで中央部にのみねじ部が形成された頭無しボルトが螺合される。この頭無しボルトにより、上記取付側プレート２２の左右両面に突出する上記突起部２２ｂが形成される。もちろん、上記突起部２２ｂが上記頭無しボルトで作製されることに限られるものではない。
【００２６】
図７に示しているように、一個の腰壁パネルフレーム固定部材２の例えば左側に上記腰壁パネル１のフレーム１１の縦フレームが位置する。この縦フレームの下端には下向きに開口する切欠き１１ａが形成されており、この切欠き１１ａが上記両面に突出する突起部２２ｂの一方に係合する。また、上記一個の腰壁パネルフレーム固定部材２の右側に上記腰壁接合部材５が位置する。そして、この腰壁接合部材５の一つの取付面部５１の下部側に形成されている上記切欠き５１ｂが上記両面に突出する突起部２２ｂの他方に係合する。
【００２７】
同様に、他の一個の腰壁パネルフレーム固定部材２の例えば右側に上記腰壁パネル１のフレーム１１の縦フレームが位置する。この縦フレームの下端には下向きに開口する切欠き１１ａが形成されており、この切欠き１１ａが上記両面に突出する突起部２２ｂの一方に係合する。また、上記一個の腰壁パネルフレーム固定部材２の左側に上記腰壁接合部材５が位置する。そして、この腰壁接合部材５の一つの取付面部５１の下部側に形成されている上記切欠き５１ｂが上記両面に突出する突起部２２ｂの他方に係合する。
【００２８】
ここで、例えば、上記２つの腰壁パネルフレーム固定部材２を上記梁取合い部材４に上記ボルト８２によって留め付け、上記２個の腰壁パネルフレーム固定部材２の間に上から上記腰壁接合部材５を入れて上記突起部２２ｂに上記切欠き５１ｂを係合させる。そして、上記腰壁パネル１を、その切欠き１１ａが上記突起部２２ｂの他方の側に係合するようにセットし、上記ボルト８２を、上記フレーム１１に形成された孔１１ｂと、上記取付側プレート２２の上部側に形成された上記挿通孔２２ａと、上記腰壁接合部材５の上部側に形成された孔５１ａとに通し、当該ボルト８２を上記ナット５１ｃに螺合させる。これにより、上記腰壁パネル１と上記腰壁接合部材５とが上記腰壁パネルフレーム固定部材２を介して上記梁３に固定される。上記ボルト８２は、例えば、上記フレーム１１における上側の横フレームの端部に形成されている隙間部から挿入され、当該隙間部から挿入される工具にて締めつけることができる。
【００２９】
図８に示すように、上記腰壁パネル１の高さを高くして上端部に上向きに開口する切欠き１１ｃを形成し、同様に上記腰壁接合部材５において上記ナット５１ｃよりも上側の高さを高くし、各取付面部５１の上端部に上向きに開口する切欠き５１ｄを形成してもよい。そして、上記腰壁パネル１のフレーム１１における縦フレームと各取付面部５１の間にスペーサー７を設ける。このスペーサー７の厚さは上記取付側プレート２２の厚さと同じにすることができる。また、上記スペーサー７には図示しない螺子孔が形成されており、この螺子孔に頭無しで中央部にのみねじ部が形成された頭無しボルトが螺合される。この頭無しボルトにより、上記スペーサー７の左右両面に突出する突起部７１が形成される。上記突起部７１の一方を上記切欠き１１ｃに係合させ、上記突起部７１の他方を上記切欠き５１ｄに係合させることで、上記腰壁パネル１と上記腰壁接合部材５との上端側での連結を行うことが可能になる。また、上記スペーサー７によって、上記腰壁パネル１と上記腰壁接合部材５との下部側から上端側での間隔を一定にすることができる。なお、上記突起部７１による係合構造ではなく、ボルト締結構造を採用することもできる。
【００３０】
以上説明したように、上記梁３に取り付けられた上記腰壁パネルフレーム固定部材２を介して上記腰壁接合部材５と上記腰壁パネル１のフレーム１１とが、その下側では上記切欠き１１ａ，５１ｂに上記突起部２２ｂを係合させ、その上側では上記ボルト８２で固定されるので、上記梁３に上記フレーム１１を取り付ける際の作業性が向上する。また、上記フレーム１１および上記腰壁接合部材５に形成された切欠き１１ａ，５１ｂに、上記取付側プレート２２の左右両側に設けられた上記突起部２２ｂが係合するので、上記フレーム１１の重量を上記腰壁パネルフレーム固定部材２で受け止めることができる。また、上記フレーム１１に加わる水平力（風圧力）を、上記切欠き１１ａ，５１ｂと突起部２２ｂを介して上記腰壁パネルフレーム固定部材２で受け止めることができる。
【００３１】
上記躯体側プレート２１が上記梁３の外側で上フランジ３１と下フランジ３２の両方に接合された上記梁取合い部材４によって上記梁３に固定されていると、上記梁取合い部材４を介して上記腰壁パネルフレーム固定部材２が梁３に固定されるので、上記フレーム１１の取り付けの剛性が向上する。
【００３２】
上記柱６の隣り合う２面の各々に上記梁３が固定されており、上記柱６の対角線上に上記腰壁接合部材５が位置しており、上記腰壁接合部材５に２つの上記取付面部５１が交差配置されていると、腰壁のコーナー箇所において上記フレーム１１の取り付けの作業性が向上する。
【００３３】
上記躯体側プレート２１に上記梁３に固定されるための装着部（ボルト挿通孔２１ａ）が形成され、当該装着部が上記取付側プレート２２を境に上記取付面部５１から遠い側の片側に位置していると、上記腰壁パネルフレーム固定部材２の上記梁３への固定が容易になる。
【００３４】
上記腰壁接合部材５に少なくとも上記ボルト８２の装着箇所（ナット５１ｃ）を補強する補強板５Ｃが設けられていると、上記ボルト８２による締め込みで上記腰壁接合部材５が変形するといった事態を防止することができる。特に、上記のように、上記腰壁パネルフレーム固定部材２において上記装着部（ボルト挿通孔２１ａ）が片側に位置するために上記変形を生じさせる力が上記装着箇所（ナット５１ｃ）に加わり易くなる場合でも、上記補強板５Ｃによって上記腰壁接合部材５の変形が防止される。
【００３５】
上記取付側プレート２２の上方であって上記フレーム１１と上記腰壁接合部材５と間に、スペーサー７が設けられていると、上記取付側プレート２２の厚みによる上記フレーム１１と上記腰壁接合部材５の取付面部５１との間隔を、上記取付側プレート２２の上方の位置でも確保することができる。
【００３６】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３７】
１      腰壁パネル
１１    フレーム（腰壁パネルフレーム）
１１ａ  切欠き
１１ｂ  孔
１１ｃ  切欠き
２      腰壁パネルフレーム固定部材
２１    躯体側プレート
２１ａ  ボルト挿通孔（装着部）
２２    取付側プレート
２２ａ  挿通孔
２２ｂ  突起部
３      梁
３１    上フランジ
３２    下フランジ
４      梁取合い部材
５      腰壁接合部材
５１    取付面部
５１ｃ  ナット（装着箇所）
５１ｂ  切欠き
５Ｃ    補強板
８２    ボルト（締結部材）
６      柱
７      スペーサー
７１    突起部
【図１】
0005898654.tif 000002
【図２】
0005898654.tif 000003
【図３】
0005898654.tif 000004
【図４】
0005898654.tif 000005
【図５】
0005898654.tif 000006
【図６】
0005898654.tif 000007
【図７】
0005898654.tif 000008
【図８】
0005898654.tif 000009